(57)【要約】【課題】本発明は、非線形歪に対する通信の特性劣化を回避でき且つハード設計の簡易化が可能な多値直交振幅変調装置を提供することを目的とする。【解決手段】本発明は、互いに直交するＩ軸及びＱ軸で表されるＩＱ平面上に正方格子状に設けられた（２ｍ）×（２ｍ）個の座標点のいずれかに、２値符号を割り当てて配置した２２ｎ＋１個のシンボルのいずれかに入力デジタル信号を対応させＩＱ平面上の座標点を示すＩ信号及びＱ信号として出力するマッピング手段と、マッピング手段からのＩ信号及びＱ信号をそれぞれ直交変調して出力する直交変調手段と、を備える多値直交振幅変調装置であって、マッピング手段は、（２ｍ）×（２ｍ）個の座標点のうち電力が最大となる電力最大座標点の近傍の一部の座標点を除いて２２ｎ＋１個のシンボルを配置することを特徴とする。【選択図】図１
2008177644.tif 000002
【特許請求の範囲】
【請求項１】
互いに直交するＩ軸及びＱ軸で表されるＩＱ平面上に正方格子状に設けられた（２ｍ）×（２ｍ）個（但し、ｍは２以上の整数とする。）の座標点のいずれかに、２値符号を割り当てて配置した２２ｎ＋１個（但し、ｎは正の整数で２２ｎ＋１＜４ｍ２とする。）のシンボルのいずれかに入力デジタル信号を対応させ前記ＩＱ平面上の座標点を示すＩ信号及びＱ信号として出力するマッピング手段と、前記マッピング手段からのＩ信号及びＱ信号をそれぞれ直交変調して出力する直交変調手段と、を備える多値直交振幅変調装置であって、
前記マッピング手段は、前記（２ｍ）×（２ｍ）個の座標点のうち電力が最大となる電力最大座標点の近傍の一部の座標点を除いて前記２２ｎ＋１個のシンボルを配置することを特徴とする多値直交振幅変調装置。
【請求項２】
前記マッピング手段は前記電力最大座標点に前記２２ｎ＋１個のシンボルのいずれかを配置し、前記電力最大座標点に配置されるシンボルと該シンボルに最も近接するシンボルとの符号間距離が１であることを特徴とする請求項１に記載の多値直交振幅変調装置。
【請求項３】
互いに直交するＩ軸及びＱ軸で表されるＩＱ平面上に正方格子状に設けられた（２ｍ）×（２ｍ）個（但し、ｍは２以上の整数とする。）の座標点のいずれかに、２値符号を割り当てて配置した２２ｎ＋１個（但し、ｎは正の整数で２２ｎ＋１＜４ｍ２とする。）のシンボルのいずれかに入力デジタル信号を対応させ前記ＩＱ平面上の座標点を示すＩ信号及びＱ信号として出力するマッピング手段と、前記マッピング手段からのＩ信号及びＱ信号をそれぞれ直交変調して出力する直交変調手段と、を備える多値直交振幅変調装置であって、
前記マッピング手段は、前記（２ｍ）×（２ｍ）個の座標点のうち電力が最小となる電力最小座標点の近傍の一部の座標点、及び前記（２ｍ）×（２ｍ）個の座標点のうち電力が最大となる電力最大座標点を除いて前記２２ｎ＋１個のシンボルを配置することを特徴とする多値直交振幅変調装置。
【請求項４】
前記マッピング手段は、前記（２ｍ）×（２ｍ）個の座標点のうち前記２２ｎ＋１個のシンボルが配置されていない未配置座標点と前記Ｉ軸又は前記Ｑ軸を基準に４５°の軸に対して線対称の関係にあるシンボルの配置を前記未配置座標点に周期的に切替えることを特徴とする請求項１から３のいずれかに記載の多値直交振幅変調装置。
【発明の詳細な説明】
【技術分野】
【０００１】
本発明は、３２ＱＡＭ（Ｑｕａｄｒａｔｕｒｅ  Ａｍｐｌｉｔｕｄｅ  Ｍｏｄｕｌａｔｉｏｎ）（直交振幅変調）や１２８ＱＡＭ等、多値数が２２ｎ＋１個（但し、ｎは、２以上の整数とする。）の多値直交変調方式の多値直交振幅変調装置に関する。
【背景技術】
【０００２】
図５及び図６に従来の３２ＱＡＭ方式でシンボルをマッピングした概略図を示す。
【０００３】
多値直交変調方式において多値数が２Ｎ個でＮが偶数の場合、シンボルは、ＩＱ平面上の座標点に矩形状に配置する。この場合、キャリア位相が４５°上の遠いシンボルは座標点の電力が最大となるため、このシンボルを利用すれば高精度の位相検出及び周波数誤差検出が可能となる。一方、３２ＱＡＭや１２８ＱＡＭ方式のようにＮが奇数の場合には、図５のように電力が最大となる電力最大座標点１０１にシンボルを配置しないため、周波数誤差検出について動作が不安定であるという問題があった。
【０００４】
この問題を解決するため、これまでに、図６のように、電力が最小となる電力最小座標点１０２に本来配置すべきシンボルを電力が最大となる電力最大座標点１０１に移動させる多値変調方式やＩＱ平面上に同心円状にシンボルを配置する多値直交変調方式が提案されている（例えば、特許文献１又は２を参照。）。
【特許文献１】特許第３６９１９３６号公報
【特許文献２】特許第３７３８９９７号公報
【発明の開示】
【発明が解決しようとする課題】
【０００５】
しかし、図６では、電力が最大となる電力最大座標点１０１及びその近傍の座標点にシンボルが配置されるため、そもそも振幅の非線形歪に対して欠点を持つことになる。つまり、この非線形歪は、送信側で直交変調された変調信号を受信する受信側において、隣り合うシンボル間での符号誤り率を増加させ通信の特性を劣化させる。また、ＩＱ平面上に同心円状にシンボルが配置される変調方式では、非線形歪に対する特性劣化を防ぐことは可能であるものの、シンボルの配置が複雑なため、判定回路等のハード設計の複雑さを伴うことになる。
【０００６】
そこで、本発明では、非線形歪に対する通信の特性劣化を回避でき且つハード設計の簡易化が可能な多値直交振幅変調装置を提供することを目的とする。
【課題を解決するための手段】
【０００７】
上記目的を達成するため、本願第一発明に係る多値直交振幅変調装置では、電力最大座標点の近傍の座標点にシンボルを配置しないことにした。
【０００８】
具体的には、本願第一発明に係る多値直交振幅変調装置は、互いに直交するＩ軸及びＱ軸で表されるＩＱ平面上に正方格子状に設けられた（２ｍ）×（２ｍ）個（但し、ｍは２以上の整数とする。）の座標点のいずれかに、２値符号を割り当てて配置した２２ｎ＋１個（但し、ｎは正の整数で２２ｎ＋１＜４ｍ２とする。）のシンボルのいずれかに入力デジタル信号を対応させ前記ＩＱ平面上の座標点を示すＩ信号及びＱ信号として出力するマッピング手段と、前記マッピング手段からのＩ信号及びＱ信号をそれぞれ直交変調して出力する直交変調手段と、を備える多値直交振幅変調装置であって、前記マッピング手段は、前記（２ｍ）×（２ｍ）個の座標点のうち電力が最大となる電力最大座標点の近傍の一部の座標点を除いて前記２２ｎ＋１個のシンボルを配置することを特徴とする。
【０００９】
本発明では、ＩＱ平面上に正方格子状に設けられる座標点のうち電力最大座標点の近傍の一部の座標点にシンボルを配置しないことにより、電力最大座標点における周波数誤差検出が可能となると共に、電力最大座標点に配置するシンボルとこれに隣接するシンボルとの間隔を広くすることができるため、非線形歪による通信の特性劣化を抑圧して符号誤り率の劣化を防止することができる。また、ＩＱ平面上で正方格子状に設けられた各座標点にシンボルを配置するため、シンボルの配置が簡単で判定回路等のハード設計についても簡易化することができる。
【００１０】
上記の多値直交振幅変調装置の前記マッピング手段は前記電力最大座標点に前記２２ｎ＋１個のシンボルのいずれかを配置し、前記電力最大座標点に配置されるシンボルと該シンボルに最も近接するシンボルとの符号間距離が１であることが望ましい。
【００１１】
本発明では、電力最大座標点に配置するシンボルとそのシンボルに最も近接するシンボルとの符号間距離を１とすることにより、このシンボル間の符号判定を誤った場合でも符号誤り率の劣化を最小限に抑えることができる。
【００１２】
また、上記目的を達成するため、本願第二発明に係る多値直交振幅変調装置では、電力最小座標点の近傍にシンボルを配置しないことにした。
【００１３】
具体的には、本願第二発明に係る多値直交振幅変調装置は、互いに直交するＩ軸及びＱ軸で表されるＩＱ平面上に正方格子状に設けられた（２ｍ）×（２ｍ）個（但し、ｍは２以上の整数とする。）の座標点のいずれかに、２値符号を割り当てて配置した２２ｎ＋１個（但し、ｎは正の整数で２２ｎ＋１＜４ｍ２とする。）のシンボルのいずれかに入力デジタル信号を対応させ前記ＩＱ平面上の座標点を示すＩ信号及びＱ信号として出力するマッピング手段と、前記マッピング手段からのＩ信号及びＱ信号をそれぞれ直交変調して出力する直交変調手段と、を備える多値直交振幅変調装置であって、前記マッピング手段は、前記（２ｍ）×（２ｍ）個の座標点のうち電力が最小となる電力最小座標点の近傍の一部の座標点、及び前記（２ｍ）×（２ｍ）個の座標点のうち電力が最大となる電力最大座標点を除いて前記２２ｎ＋１個のシンボルを配置することを特徴とする。
【００１４】
本発明では、ＩＱ平面上で正方格子状に設けられた座標点のうち電力最小座標点の近傍の一部の座標点及び電力最大座標点にシンボルを配置しないことにより、電力が比較的大きくなる座標点での周波数誤差検出が可能となると共に、電力最大座標点での非線形歪による通信の特性劣化を回避することができる。また、振幅の線形性を確保しうる電力最小座標点における符号判定が可能となり通信の特性を向上させることができる。また、ＩＱ平面上で正方格子状に設けられた各座標点にシンボルを配置するため、シンボルの配置が簡単で判定回路等のハード設計についても簡易化することができる。
【００１５】
上記の第一又は第二発明に係る多値直交振幅変調装置において、前記マッピング手段は、前記（２ｍ）×（２ｍ）個の座標点のうち前記２２ｎ＋１個のシンボルが配置されていない未配置座標点と前記Ｉ軸又は前記Ｑ軸を基準に４５°の軸に対して線対称の関係にあるシンボルの配置を前記未配置座標点に周期的に切替えることが望ましい。
【００１６】
４５°の軸に対して線対称の関係にあるシンボルの配置を未配置座標点に周期的に切替えることにより、時間平均としてＩＱ平面上の全体にシンボルを配置して周波数誤差検出の偏りを小さくすることができる。
【発明の効果】
【００１７】
本発明に係る多値直交振幅変調装置は、非線形歪に対する通信の特性劣化を回避でき且つハード設計の簡易化が可能である。
【発明を実施するための最良の形態】
【００１８】
添付の図面を参照して本発明の実施の形態を説明する。以下に説明する実施の形態は本発明の構成の例であり、本発明は、以下の実施の形態に制限されるものではない。
【００１９】
（第一実施形態）
本実施形態に係る多値直交振幅変調装置は、ＩＱ平面上で２値符号を割り当てて配置したシンボルのいずれかに音声信号や画像信号等の２値のデジタル信号を対応させＩＱ平面上の座標点を示すＩ信号及びＱ信号として出力するマッピング手段と、マッピング手段からのＩ信号及びＱ信号をそれぞれ直交変調して出力する直交変調手段と、を備える。
【００２０】
図１に、本実施形態に係る多値直交振幅変調装置のマッピング手段が３２ＱＡＭ方式でシンボルをマッピングした概略図を示す。また、図２に、他の実施形態に係る多値直交振幅変調装置のマッピング手段が１２８ＱＡＭ方式でシンボルをマッピングした概略図を示す。
【００２１】
図１では、同相軸であるＩ軸２１及び直交軸であるＱ軸２２が互いに直交したＩＱ平面上に正方格子状に設けられる３６個の座標点に、上位２ビットが「００」，「１０」，「１１」，「０１」の２値符号を割り当てた３２個の黒丸で示したシンボルが配置している。当該上位２ビットで差動符号化を行うと位相不確定性を除去することができる。また、３２個のシンボルは、３６個の座標点のうち電力が最大となる４つのそれぞれの電力最大座標点の近傍の合計４個の座標点を除く各座標点にＩＱ平面の原点Ｏを中心にして対称に配置している。つまり、図１では、ＩＱ平面の第１象限について１つの電力最大座標点３１に隣接する２つの座標点３２，３３うち１つにはシンボルを配置しない。シンボルを配置しない位置は、図１に示す座標点３３の位置であってもよいし、座標点３２の位置であってもよい。また、電力最大座標点３１へのシンボルの配置は任意である。また、シンボルの配置は、図１に示すように第２から第４象限でも原点Ｏを対称に第１象限と同様としてもよいし、原点Ｏに非対称に配置してもよい。
【００２２】
また、互いに隣接するシンボルに割り当てられる２値符号は、グレイコードであり、互いの符号間距離を小さくしている。図１では、符号間距離は、第１象限についてシンボル４１，４２間の符号間距離が２である以外、他のシンボルの符号間距離は総て１である。各シンボルに割り当てる２値符号は、図１に限らず任意である。図１に示すように、電力最大座標点３１に配置するシンボル４３と該シンボル４３に最も近接するシンボル４４との符号間距離を１にすると、このシンボル４３，４４間の符号判定を誤った場合でも符号誤り率の劣化を最小限に抑えることができる。
【００２３】
図１では、３２ＱＡＭ方式を採用しているが、ＩＱ平面上には（２ｐ）×（２ｐ）個（但し、ｐは２以上の整数とする。以下、本明細書において同じとする。）の座標点を設けることができ、シンボルは、そのうち２２ｑ＋１個（但し、ｑは正の整数で２２ｑ＋１＜４ｐ２とする。以下、本明細書において同じとする。）の座標点に配置することができる。そして、２２ｑ＋１個のシンボルは、（２ｐ）×（２ｐ）個の座標点のうち電力が最大となる電力最大座標点の近傍の座標点を除く各座標点に配置することができる。なお、３２ＱＡＭ方式では上記ｐが３の場合であり、１２８ＱＡＭ方式では上記ｐが４の場合である。
【００２４】
図２は、ｐ＝４の場合、つまり１２８ＱＡＭ方式を採用する場合であり、ＩＱ平面上で正方格子状に設けられる１４４個の座標点には、上位２ビットが「００」，「１０」，「１１」，「０１」の２値符号を割り当てた１２８個の黒丸で示したシンボルが配置している。また、１２８個のシンボルは、１４４個の座標点のうち電力が最大となる４つのそれぞれの電力最大座標点の近傍の合計１６個の座標点を除く各座標点にＩＱ平面の原点を中心にして対称に配置している。つまりＩＱ平面の第１象限について１つの電力最大座標点５１に隣接する４つの座標点５２，５３，５４，５５にシンボルを配置しない。シンボルを配置しない位置は、図２に示す座標点５４の位置であってもよいし、座標点５６の位置であってもよい。また、電力最大座標点５１へのシンボルの配置は任意である。また、シンボルの配置は、図２に示すように第２から第４象限でも原点Ｏを対称に第１象限と同様としてもよいし、原点Ｏに非対称に配置してもよい。また、互いに隣接するシンボルに割り当てられる２値符号は、図１と同様にグレイコードであり、互いの符号間距離を小さくしている。図２では、符号間距離は、第１象限についてシンボル６１，６２及びシンボル６３，６４間の符号間距離が２である以外、他のシンボルの符号間距離は総て１である。各シンボルに割り当てる２値符号は、図２に限らず任意である。図２に示すように、電力最大座標点５１に配置するシンボル６５と該シンボル６５に最も近接するシンボル６６との符号間距離を１にすると、このシンボル６５，６６間の符号判定誤り率を最小にして、通信の特性を向上させることができる。
【００２５】
図１及び図２に示すように、ＩＱ平面上で正方格子状に設けられる座標点のうち４つの電力最大座標点の近傍の座標点にシンボルを配置しないことにより、電力最大座標点（図１では電力最大座標点３１，図２では電力最大座標点５１）における周波数誤差検出が可能となると共に、電力最大座標点に配置するシンボルとこれに隣接するシンボルとの間隔（図１ではシンボル４３，４４間及びシンボル４３，４１間）を広くすることができるため、非線形歪による通信の特性劣化を抑圧して符号誤り率の劣化を防止することができる。また、ＩＱ平面上で正方格子状に設けられた各座標点にシンボルを配置するため、シンボルの配置が簡単で判定回路等のハード設計についても簡易化することができる。
【００２６】
ここで、図１に示すように、シンボルを配置しない位置は、座標点３２と座標点３３とで入れ替えることが可能である。このことは、図２でも同様で、シンボルを配置しない位置は、座標点５６と座標点５４とで入れ替えることが可能である。また、図１の３２ＱＡＭ方式や図２の１２８ＱＡＭ方式に限らず、より多値のＱＡＭ方式で座標点が（２ｐ）×（２ｐ）個の場合でも同様である。つまり、第１象限のみについて考えると、（２ｐ）×（２ｐ）個の座標点のうち電力最大座標点の近傍についてシンボルを配置しないことにすると、シンボルが配置されない未配置座標点とＩ軸又はＱ軸を基準に４５°の軸（図１では軸７１、図２では軸７２）に対して線対称の関係にある座標点の位置に１つのシンボルが存在する。これは、図１のシンボル４４、図２のシンボル６６にそれぞれ相当する。そのため、この線対称の位置に存在するシンボルの配置は、当該未配置座標点（図１では座標点３３、図２では座標点５４）に切替えることが可能である。
【００２７】
マッピング手段は、未配置座標点とＩ軸又はＱ軸を基準に４５°の軸（図１では軸７１、図２では軸７２）に対して線対称の関係にある座標点の位置にシンボルが配置している場合には、当該シンボルを当該未配置座標点に周期的に切替えることが望ましい。このように、４５°の軸に対して線対称の関係にあるシンボルの配置を未配置座標点に周期的に切替えることにより、時間平均としてＩＱ平面上の全体にシンボルを配置して周波数誤差検出の偏りを小さくすることができる。
【００２８】
ここで、本実施形態に係る多値直交振幅変調装置の動作方法について説明する。
【００２９】
まず、多値直交振幅変調装置のマッピング手段は、音声信号や画像信号等の２値の入力デジタル信号が入力されると、２値符号を割り当ててＩＱ平面上の座標点に配置したシンボルのいずれかに当該入力デジタル信号を対応させＩＱ平面上の座標点を示すＩ信号及びＱ信号として出力する。例えば、マッピング手段にデジタルデータのデータ列「０１０１０１０１０１」が入力デジタル信号として入力されると、マッピング手段は、当該入力デジタル信号を５ビットのパラレルデータ「０１０１０」と「１０１０１」に変換し、図１のＩＱ平面上に配置したシンボル４５，４６に対応させる。そして、シンボル４５，４６の配置する座標点の位置を、例えば８ビットのＩ信号及びＱ信号として出力する。そして、マッピング手段から出力されたＩ信号及びＱ信号は、直交変調手段に入力される。
【００３０】
直交変調手段は、マッピング手段からのＩ信号及びＱ信号をそれぞれ直交変調して出力する。例えば、マッピング手段と直交変調手段との間でＤ／Ａ変換されたＩ信号及びＱ信号のうち、所定周波数で位相が９０°異なる２つのキャリアの一方とＩ信号を乗算し、他方とＱ信号を乗算することで直交変調してそれぞれ変調信号として出力する。直交変調手段から出力された変調信号は、例えば、増幅器及び周波数変換回路を介して高周波信号に変換され外部に送信される。
【００３１】
（第二実施形態）
図３に、本実施形態に係る多値直交振幅変調装置のマッピング手段が１２８ＱＡＭ方式でシンボルをマッピングした概略図を示す。図３では、ＩＱ平面の第１象限のみ示している。
【００３２】
本実施形態では、マッピング手段におけるシンボルの配置の構成が第一実施形態で説明したマッピング手段におけるシンボルの配置の構成と異なっている。その他、マッピング手段及び直交変調手段の機能や動作は、第一実施形態で説明したマッピング手段及び直交変調手段と同一であるため、説明は省略する。
【００３３】
図３では、Ｉ軸２１及びＱ軸２２が互いに直交したＩＱ平面上で正方格子状に設けられる１４４個の座標点に、２値符号を割り当てた１２８個の黒丸で示したシンボルが配置している。なお、１２８個の各シンボルについて、上位２ビットが「００」，「１０」，「１１」，「０１」の２値符号が割り当てられていること、互いに隣接するシンボルに配置する２値符号がグレイコードであることは第一実施形態で説明した図１及び図２と同様である。
【００３４】
１２８個のシンボルは、１４４個の座標点のうち電力が最大となる４つの電力最大座標点、４つの電力最大座標点のそれぞれについて電力最大座標点の近傍の合計１２個の座標点、及び１４４個の座標点のうち電力が最小となる４つのそれぞれの電力最小座標点の近傍の合計４個の座標点を除く各座標点にＩＱ平面の原点を中心にして対称に配置している。つまり、図３では、ＩＱ平面の第１象限について１つの電力最大座標点５１、電力最大座標点５１に隣接する２つの座標点５２，５３、及び電力最小座標点５７に隣接する３つの座標点５８，５９，７３うち１つの座標点にはシンボルを配置しない。シンボルを配置しない位置は、図３に示す座標点５９の位置であってもよいし、座標点７３の位置であってもよい。また、電力最小座標点５７へのシンボルの配置は任意である。また、シンボルの配置は、第２から第４象限でも原点Ｏを対称に第１象限と同様としてもよいし、原点Ｏに非対称に配置してもよい。
【００３５】
図３では、１２８ＱＡＭ方式を採用しているが、ＩＱ平面上で（２ｐ）×（２ｐ）個の座標点を設けることができ、シンボルは、そのうち２２ｑ＋１個の座標点に配置することができる。そして、２２ｑ＋１個のシンボルは、（２ｐ）×（２ｐ）個の座標点のうち電力が最小となる電力最小座標点の近傍の座標点を除く各座標点に配置することができる。なお、図３の１２８ＱＡＭ方式では上記ｑが４の場合である。
【００３６】
図３に示すように、ＩＱ平面上で正方格子状に設けられる座標点のうち４つの電力最大座標点及びその近傍の座標点、並びに電力最小座標点（図３では電力最小座標点５７）近傍の座標点（図３では座標点５８）にシンボルを配置しないことにより、振幅が比較的大きくなる座標点（図３では座標点５５）での周波数誤差検出が可能となると共に、電力最大座標点（図３では電力最大座標点５１）での非線形歪による通信の特性劣化を回避することができる。また、振幅の線形性を確保しうる電力最小座標点における符号判定が可能となり通信の特性を向上させることができる。また、ＩＱ平面上で正方格子状に設けられた各座標点にシンボルを配置するため、シンボルの配置が簡単で判定回路等のハード設計についても簡易化することができる。
【００３７】
ここで、図３に示すようにシンボルを配置しない位置を座標点５８の位置とした場合、又は座標点５９の位置とした場合、第一実施形態で説明した図１及び図２と同様に、シンボルの配置は、座標点５８と座標点５９とで入れ替えることが可能である。図３の１２８ＱＡＭ方式に限らず、より多値のＱＡＭ方式で座標点が（２ｐ）×（２ｐ）個の場合でも同様である。つまり、第１象限のみについて考えると、電力最小座標点の近傍の４つについてシンボルを配置しないことにすると、シンボルが配置されない未配置座標点とＩ軸又はＱ軸を基準に４５°の軸（図３では軸７２）に対して線対称の関係にある座標点の位置に１つのシンボルが存在することになる。これは、図３のシンボル５９に相当する。そのため、この線対称の位置に存在するシンボルの配置は、当該未配置座標点（図３では座標点５８）に切替えることが可能である。
【００３８】
マッピング手段は、第一実施形態と同様、未配置座標点とＩ軸又はＱ軸を基準に４５°の軸７２に対して線対称の関係にある座標点の位置にシンボルが配置している場合には、当該シンボルを当該未配置座標点に周期的に切替えることが望ましく、時間平均としてＩＱ平面上の全体にシンボルを配置して周波数誤差検出の偏りを小さくすることができる。
【００３９】
（第三実施形態）
図４に、本実施形態に係る多値直交振幅変調装置のマッピング手段における１２８ＱＡＭ方式でシンボルをマッピングした概略図を示す。図４では、ＩＱ平面の第１象限のみ示している。
【００４０】
本実施形態では、マッピング手段におけるシンボルの配置の構成が第一実施形態で説明したマッピング手段におけるシンボルの配置の構成と異なっている。その他、マッピング手段及び直交変調手段の機能や動作は、第一実施形態で説明したマッピング手段及び直交変調手段と同一であるため、説明は省略する。
【００４１】
図４では、Ｉ軸２１及びＱ軸２２が互いに直交したＩＱ平面上で正方格子状に設けられる１４４個の座標点に、２値符号を割り当てた１２８個の黒丸で示したシンボルが配置している。なお、１２８個のシンボルについて、上位２ビットが「００」，「１０」，「１１」，「０１」の２値符号が割り当てられていること、互いに隣接するシンボルに配置する２値符号がグレイコードであることは第一実施形態で説明した図１及び図２と同様である。
【００４２】
１２８個のシンボルは、１４４個の座標点のうち電力が最大となる４つの電力最大座標点と１４４個の座標点のうち電力が最小となる４つのそれぞれの電力最小座標点の近傍の合計１２個の座標点とを除く各座標点にＩＱ平面の原点を中心にして対称に配置している。つまり、図４では、ＩＱ平面の第１象限について１つの電力最大座標点５１及び電力最小座標点５７に隣接する３つの座標点５８，５９，７３にはシンボルを配置しない。また、電力最小座標点５７へのシンボルの配置は任意である。シンボルの配置は、第２から第４象限でも原点Ｏを対称に第１象限と同様としてもよいし、原点Ｏに非対称に配置してもよい。
【００４３】
図４では、１２８ＱＡＭ方式を採用しているが、ＩＱ平面上で（２ｐ）×（２ｐ）個の座標点を設けることができ、シンボルは、そのうち２２ｑ＋１個の座標点に配置することができる。そして、２２ｑ＋１個のシンボルは、（２ｐ）×（２ｐ）個の座標点のうち電力が最小となる４つのそれぞれの電力最小座標点の近傍の座標点を除く各座標点に配置することができる。なお、図４の１２８ＱＡＭ方式では上記ｑが４の場合である。
【００４４】
図４に示すように、ＩＱ平面上に正方格子状に設けられる座標点のうち４つの電力最大座標点、並びに電力最小座標点の近傍（図４では電力最小座標点５７）の座標点にシンボルを配置しないことにより、振幅が比較的大きくなる座標点（図４では座標点５５）での周波数誤差検出が可能となると共に、電力最大座標点（図４では電力最大座標点５１）での非線形歪による通信の特性劣化を回避することができる。また、振幅の線形性を確保しうる電力最小座標点における符号判定が可能となり通信の特性を向上させることができる。また、ＩＱ平面上で正方格子状に設けられた各座標点にシンボルを配置するため、シンボルの配置が簡単で判定回路等のハード設計についても簡易化することができる。
【産業上の利用可能性】
【００４５】
本発明は、２値のデジタル信号を無線又は有線を問わず伝送するために用いられるＱＡＭ方式を採用する多値直交振幅変調装置として利用できる。
【図面の簡単な説明】
【００４６】
【図１】一実施形態に係る多値直交振幅変調装置のマッピング手段が３２ＱＡＭ方式でシンボルをマッピングした概略図である。
【図２】一実施形態に係る多値直交振幅変調装置のマッピング手段が１２８ＱＡＭ方式でシンボルをマッピングした概略図である。
【図３】一実施形態に係る多値直交振幅変調装置のマッピング手段が１２８ＱＡＭ方式でシンボルをマッピングした概略図である。
【図４】一実施形態に係る多値直交振幅変調装置のマッピング手段が１２８ＱＡＭ方式でシンボルをマッピングした概略図である。
【図５】従来の３２ＱＡＭ方式でシンボルをマッピングした概略図である。
【図６】従来の３２ＱＡＭ方式でシンボルをマッピングした概略図である。
【符号の説明】
【００４７】
２１：Ｉ軸
２２：Ｑ軸
３１：電力最大座標点
３２，３３：座標点
４１，４２，４３，４４，４５，４６：シンボル
５１：電力最大座標点
５２，５３，５５，５６，５８，５９：
座標点
５７：電力最小座標点
６１，６２，６３，６４，６５，６６：シンボル
７１，７２：軸
７３：座標点
１０１：電力最大座標点
１０２：電力最小座標点
【図１】
2008177644.tif 000003
【図２】
2008177644.tif 000004
【図３】
2008177644.tif 000005
【図４】
2008177644.tif 000006
【図５】
2008177644.tif 000007
【図６】
2008177644.tif 000008